(57)【要約】【課題】本体からの払拭具の取替を容易に行うことができ、且つ払拭具を取り付けた箇所に硬質部が露出せず、本体を洗浄，消毒し易く、コンパクトな構成の清浄具を提供すること。【解決手段】本発明の口腔清掃用ブラシは、口腔清掃用ブラシであり、該口腔清掃用ブラシには口腔清掃用不織布を取り付ける取付部位とブラシ柄部を有し、かつ、特定の式で表される図形を基本とする略コの字型の形状を有していることを特徴としている。【選択図】図１
2016097104.tif 000002
【特許請求の範囲】
【請求項１】
口腔清掃用ブラシであり、該口腔清掃用ブラシには口腔清掃用不織布を取り付ける取付部位とブラシ柄部を有し、かつ、以下の式で表される図形を基本とする略コの字型の形状を有する口腔清掃用ブラシ。
【数１】
2016097104.tif 000012
（ただし、上記式において、Ｘ0、Ｙ0、Ｚ0は正の実数、
なお、１，２番目の中括弧｛｝の図形をｚ面、３番目の中括弧｛｝の図形をｘ面、
以下の式で表される領域を正面開口部、
【数２】
2016097104.tif 000013
以下の式で表される領域を側面部、
【数３】
2016097104.tif 000014
とする。）
【請求項２】
該ブラシへの該不織布の取り付けに効果を奏する取付部材を有し、かつ、該取付部材は、ブラシに対して可動または装着可能であることを特徴とする請求項１記載の口腔清掃用ブラシ。
【請求項３】
該取付部位および／または取付部材に返しを有することを特徴とする請求項１または２に記載の口腔清掃用ブラシ。
【請求項４】
該取付部材は断面が略コの字型の形状を有し、かつ、外力により屈曲して外形を小さくすることが可能であり、該不織布を挟み込む事が出来、該取付部材は少なくとも前記の通り外形を小さくした状態においては、取付部位に嵌め込み可能であり、前記不織布とともに取り付けることが可能であることを特徴とする請求項２または３に記載の口腔清掃用ブラシ。
【請求項５】
該取付部材の略コの字内面において、コの字の開口部から見て、内部側よりも外部側が狭窄している部位を有することを特徴とする請求項１〜４のいずれかに記載の口腔清掃用ブラシ。
【請求項６】
該取付部位および／または取付部材の略コの字の開口部を正面から見た際に、少なくとも一方の側面部の開口は中央部の開口よりも幅が広いことを特徴とする請求項５に記載の口腔清掃用ブラシ。
【請求項７】
該取付部材は該取付部位のコの字をなしている平面に垂直な方向からは嵌め込み可能であるが、コの字の開口部方向からは脱離が不可能または困難である構造を有することを特徴とする請求項２〜６のいずれかに記載の口腔清掃用ブラシ。
【請求項８】
該取付部位と取付部材は、該垂直な方向に嵌合可能な、嵌合溝とそれに対応する嵌合突起を有することを特徴とする請求項７に記載の口腔清掃用ブラシ。
【請求項９】
該取付部位の略コの字内面において、コの字の開口部から見て、内部側よりも外部側が狭窄している部位を有することを特徴とする請求項１〜８のいずれかに記載の口腔清掃用ブラシ。
【請求項１０】
該取付部位の略コの字の開口部を正面から見た際に、側面部の開口は中央部の開口よりも幅が狭い狭窄帯を有し、該狭窄帯は、非束縛状態の該不織布または取付部材は通過不能であり、弾性変形させた該不織布または取付部材は通過可能であり、前記弾性変形の形状復元力により、該不織布または取付部材は該取付部以内に安定固定されることを特徴とする請求項１〜９のいずれかに記載の口腔清掃用ブラシ。
【請求項１１】
該取付部位の略コの字が略エの字になるような把手を有し、該把手を手指にて押圧することによって、取付部位開口部を広げて、該不織布を取り付けることが可能であることを特徴とする請求項９記載の口腔清掃用ブラシ。
【請求項１２】
該把手の一方は、該取付部位に接続しているブラシ柄部が兼用していることを特徴とする請求項１１記載の口腔清掃用ブラシ。
【請求項１３】
該把手は、該取付部位から脱離可能であることを特徴とする請求項１１または１２記載の口腔清掃用ブラシ。
【請求項１４】
該取付部位および／または取付部材の略コの字の少なくとも内部空間が屈曲していることを特徴とする請求項１〜１３のいずれかに記載の口腔清掃用ブラシ。
【請求項１５】
該取付部位が該取付部材に嵌め込まれることにより、該取付部位の少なくとも一部が該取付部材の少なくとも一部に押圧されて変形することを特徴とする請求項２記載の口腔清掃用ブラシ。
【請求項１６】
該取付部材は該取付部位の外面から覆い、不織布に対する返し構造を形成することを特徴とする請求項２記載の口腔清掃用ブラシ。
【請求項１７】
該取付部材は該取付部位内部に可動に内蔵され、該取付部位開口部の返し構造にて該取付部材から取り外されることが抑制されていることを特徴とする請求項２記載の口腔清掃用ブラシ。
【請求項１８】
該取付部位と該取付部材はネジ構造により嵌め込むことを特徴とする請求項２記載の口腔清掃用ブラシ。
【発明の詳細な説明】
【技術分野】
【０００１】
本発明は、口腔内の清掃、特に歯面の清掃に用いることのできる清掃用具に関するものである。
【背景技術】
【０００２】
老齢による心身の衰えやその他の疾患や様々な障害によって、自ら歯磨き等の口腔衛生管理が困難となった患者においては、口腔内の食物残渣やそれによって口腔内に各種細菌が多く繁殖することによって歯垢や舌苔を多く発生することになり、口臭、齲蝕、歯周病等の不快な症状あるいは疾患に至る原因になる懸念されている。
【０００３】
そこで介護者が、ガ−ゼやウエットティッシュ等を素手乃至は衛生手袋した手で把持乃至は巻き付けして、口腔内を拭って清掃したり、または綿棒や棒付きスポンジ、割り箸などの棒状物にガ−ゼを巻いたもの等を用いて患者の口腔内を清掃することが行われている。
【０００４】
指にガ−ゼ等を巻いて清掃する方法は、手際よく隅々まで清掃できるという利点があるものの、手袋をしていないと介護者が感染する虞がある上、意識の不明な患者では口腔への刺激によって反射的に口を閉じ、介護者の指を噛むといった事故が起こり得る。
【０００５】
そこで清掃を行っている間、肉厚ゴムホ−ス状の開口保持具を歯にあてがい口が閉じないようにして施術することが薦められている。または金属製の指サック型治具を指に填め、この上にガ−ゼ等を巻いた状態とし、これを歯にあてがって口が閉じないようにして施術することが薦められている。
【０００６】
綿棒や棒付きスポンジによる清掃においても、上記開口保持具を用いることが推奨され、かつ実際に実行されているのが実情である。
しかしながら開口保持具等を用いることは、患者にとって不快であるだけでなく、清掃のし残し箇所が多く発生するという不都合を生じる虞が有る。
【０００７】
指に填めた指サック型治具にガ−ゼ等を巻いて清掃する場合は、指の動きが制約され、殊に口腔内の奥の部分が清掃し難い。
他方、太く強固な棒状体を用いた棒付きスポンジや、上記割り箸にガ−ゼを巻き付けた物の場合は、柄の部分が丈夫であるので、綿棒等と違って開口保持具を用いなくても清掃可能である。また介護者が指を噛まれたりする虞がないという利点がある。
【０００８】
しかし、上記棒付きスポンジは棒とスポンジが一体型であるから、衛生面から使い捨てにせざるを得ないこの種用途の製品としては不経済と言わざるを得ない。なお口腔の清浄は毎食後行うことが望ましい。
【０００９】
この点、割り箸にガ−ゼを巻き付けた物は安価であるが、巻き付けたガ−ゼが解けてこないように糸等で縛る必要があり、使用する毎に介護者が作製しなければならないという面倒がある。
【００１０】
ところで他の用途の清掃具として、汚れを拭う払拭材を取り替え可能に構成し、１回の使用コストを低く抑えたものが提案されている。例えば特許文献１（実開昭57-149857号公報）には、２本の棒状把持部材の先端に挟持片を設けると共に他端を弾性部材を介して連結し、先端の挟持片間に払拭材（例えば水溶性パッド）を挟むようにしたものが示されている。なお上記２本の把持部材にはこれらを貫通させたネジが設けられ、このネジの締め付けによって挟持片に挟んだ払拭材を強く固定できるようになっている。
【００１１】
特許文献２（特開平9-19397号公報）には、１本の握持用柄の先端に形成された払拭材取付部にシ−ト状払拭材を巻き付け、上記握持用柄の後端部に枢支された止着部材によって、上記巻き付けたシ−ト状払拭材の自由端を止着する構成のものが示されている。
【００１２】
特許文献３（実開昭54-32061号公報）には、軸方向に導管を備えた柄の先端部分に２つ折りに折れ曲がる洗浄部を設け、この洗浄部に袋状の清浄用パッドを取り付けて使用する清掃具であって、上記柄の導管に挿通されたカギ型係止棒を、上記洗浄部の端に形成された凹部に差し込むことで折り曲げ状態を保持し、上記カギ型係止棒を引き抜いたとき、折曲げ部の復元力により上記洗浄部の折曲げを開く構成のものが提案されている。
【００１３】
特許文献４（特開2010-233656号公報）には、棒状部材１１と軟質材製払拭具１２を備えた清浄具１０である。棒状部材１１は、長手方向両側に掴み部１３ｂ，１６ｂ、中央に折り曲げ／曲げ戻し自在な可撓性部材１４（折曲点）を備える。棒状部材１１を直線状にして可撓性部材１４（折曲点）及び棒先部分１３ａ，１６ａに払拭具１２を巻き、棒状部材１１を二つ折りにして払拭具１２を狭圧保持する構成のものが提案されている。
【００１４】
しかし、上記特許文献１，２に記載の清掃具は、払拭材を保持するための硬質の部材（特許文献１では挟持片、特許文献２では止着部材）が外側に露出しているため、この様な機械的構成を口腔内払拭部に適用したとしても、口腔内を清浄するときに、上記硬質部材が口腔内に当たって患者に不快感を与えるとの懸念がある。
【００１５】
また、上記特許文献３に記載の清掃具は構造が複雑であるので、比較的大きなサイズのものとなり、この様な機械的構成は口腔内のような小さい箇所の清掃には適用できない。また口腔内の清浄に用いる場合は、清浄用パッドを取り替えるだけでなく、使用の度に清掃具本体の洗浄、消毒を行う必要があるが、構造が複雑であるため、洗浄、消毒が行き届かずに雑菌が繁殖する懸念があり、口腔内の清浄には不適当である。
【００１６】
さらに、上記特許文献４に記載の清掃具は清掃部も保持部も２つ折りとなっているので、やはり比較的大きなサイズのものとなり、この様な機械的構成は口腔内のような小さい箇所の清掃には適用できない。
【先行技術文献】
【特許文献】
【００１７】
【特許文献１】実開昭５７−１４９８５７号公報
【特許文献２】特開平０９−０１９３９７号公報
【特許文献３】実開昭５４−０３２０６１号公報
【特許文献４】特開２０１０−２３３６５６号公報
【発明の概要】
【発明が解決しようとする課題】
【００１８】
本発明の目的は、本体からの払拭具の取替を容易に行うことができ、且つ払拭具を取り付けた箇所に硬質部が露出せず、本体を洗浄、消毒し易く、コンパクトな構成の清浄具を提供することにある。
【００１９】
なお、本発明の詳細な説明において、「好ましくはＸＸ〜ＹＹ」（ＸＸ、ＹＹは好適な数値）等とある記載は、原則として「好ましくは、ＸＸ以上および／またはＹＹ以下」を意味するものである。
【課題を解決するための手段】
【００２０】
本発明に係る口腔清掃用ブラシは、以下のように構成されたものであることを特徴とする。則ち、
本発明に係る口腔清掃用ブラシは、口腔清掃用ブラシであり、該口腔清掃用ブラシには口腔清掃用不織布を取り付ける取付部位とブラシ柄部を有し、かつ、以下の特定の式で表される図形を基本とする略コの字型の形状を有することを特徴としている。
【００２１】
【数１】
2016097104.tif 000003
ただし、上記式において、Ｘ0、Ｙ0、Ｚ0は正の実数、
なお、１，２番目の中括弧｛｝の図形をｚ面、３番目の中括弧｛｝の図形をｘ面、
以下の式で表される領域を正面開口部、
【００２２】
【数２】
2016097104.tif 000004
以下の式で表される領域を側面部、
【００２３】
【数３】
2016097104.tif 000005
とする。
【００２４】
本発明の口腔清掃用ブラシが、該ブラシへの該不織布の取り付けに効果を奏する取付部材を有し、かつ、該取付部材は、ブラシに対して可動または装着可能であることが好ましい。
【００２５】
この取付部材が、取付部位および／または取付部材に返しを有することが好ましい。
さらに、この取付部材は断面が略コの字型の形状を有し、かつ、外力により屈曲して外形を小さくすることが可能であり、該不織布を挟み込む事が出来、該取付部材は少なくとも前記の通り外形を小さくした状態においては、取付部位に嵌め込み可能であり、前記不織布とともに取り付けることが可能であることが好ましい。
【００２６】
この取付部材の略コの字内面において、コの字の開口部から見て、内部側よりも外部側が狭窄している部位を有することが好ましい。
この取付部位および／または取付部材の略コの字の開口部を正面から見た際に、少なくとも一方の側面部の開口は中央部の開口よりも幅が広いことが好ましい。
【００２７】
この取付部材は、該取付部位のコの字をなしている平面に垂直な方向からは嵌め込み可能であるが、コの字の開口部方向からは脱離が不可能または困難である構造を有することが好ましい。
【００２８】
この取付部位と取付部材は、該垂直な方向に嵌合可能な、嵌合溝とそれに対応する嵌合突起を有することが好ましい。
この取付部位の略コの字内面において、略コの字の開口部から見て、内部側よりも外部側が狭窄している部位を有することが好ましい。
【００２９】
この取付部位の略コの字の開口部を正面から見た際に、側面部の開口は中央部の開口よりも幅が狭い狭窄帯を有し、該狭窄帯は、非束縛状態の該不織布または取付部材は通過不能であり、弾性変形させた該不織布または取付部材は通過可能であり、前記弾性変形の形状復元力により、該不織布または取付部材は該取付部以内に安定固定されることが好ましい。
【００３０】
この取付部位の略コの字が略エの字になるような把手を有し、該把手を手指にて押圧することによって、取付部位開口部を広げて、該不織布を取り付けることが可能であることが好ましい。
【００３１】
この把手の一方は、該取付部位に接続しているブラシ柄部が兼用していることが好ましい。
この把手は、該取付部位から脱離可能であることが好ましい。
【００３２】
この取付部位および／または取付部材の略コの字の少なくとも内部空間が屈曲していることが好ましい。
この取付部位が該取付部材に嵌め込まれることにより、該取付部位の少なくとも一部が該取付部材の少なくとも一部に押圧されて変形することが好ましい。
【００３３】
この取付部材は該取付部位の外面から覆い、不織布に対する返し構造を形成することが好ましい。
この取付部材は該取付部位内部に可動に内蔵され、該取付部位開口部の返し構造にて該取付部材から取り外されることが抑制されていることが好ましい。
この取付部位と該取付部材とはネジ構造により嵌め込むように構成されていることが好ましい。
【発明の効果】
【００３４】
本発明に係る清浄具によれば、払拭具を容易に交換することができる上、払拭具を取り付けた箇所の硬質な部材が清掃対象に接触する可能性が低く、また払拭具を取り付けた箇所をコンパクトに構成できるので、口腔にも快適に使用することができる。加えて清浄具の本体である棒状部材の洗浄、消毒を容易に行い得る。
【図面の簡単な説明】
【００３５】
【図１】本発明のブラシの全体像と不織布の一例を示す側面図である。
【図２】本発明のブラシの仕様状況を示す取付部位近傍の部分側面図である。
【図３】本発明のブラシに返し付き取付部材を併用した不織布を取り付ける前後を示す取付部位近傍の部分側面側断面図である。
【図４】本発明のブラシに取付部材を併用した不織布を取り付ける前後を示す返し付き取付部位近傍の部分側面側断面図である。
【図５】本発明のブラシにて、内部および側部の方が幅広である態様の取付部位近傍の部分側面側断面図である。
【図６】本発明のブラシにて、側面に切り欠き部を有する態様の取付部位近傍の部分側面側断面図である。
【図７】本発明のブラシにて、側面に切り欠き部を有する他の態様の取付部位近傍の部分側面側断面図である。
【図８】本発明のブラシにて、側面部の開口は中央部の開口よりも幅が狭い狭窄帯を有する正面図である。
【図９】本発明のブラシにて、把手を有する取付部位近傍の部分側面側断面図である。
【図１０】本発明のブラシにて、把手を有する他の態様の取付部位近傍の部分側面側断面図である。
【図１１】本発明のブラシにて、該取付部位および／または取付部材の略コの字の少なくとも内部空間が屈曲している取付部位近傍の部分側面側断面図である。
【図１２】本発明のブラシにて、該取付部位が該取付部材に嵌め込まれることにより、該取付部位の少なくとも一部が該取付部材の少なくとも一部に押圧されて変形する不織布を取り付ける前後を示す取付部位近傍の部分側面側断面図である。
【図１３】本発明のブラシにて、該取付部材は該取付部位の外面から覆い、返し構造を形成する取付部位近傍の部分側面側断面図である。
【図１４】本発明のブラシにて、該取付部材は該取付部位内部に可動に内蔵され、該取付部位開口部の返し構造にて該取付部材から取り外されることが抑制されている取付部位近傍の部分側面側断面図である。
【図１５】本発明のブラシにて、該取付部位と該取付部材はネジ構造により嵌め込む態様の取付部位近傍の部分側面側断面図である。
【図１６】本発明のブラシにて、該取付部位と該取付部材はネジ構造により嵌め込む他の態様の取付部位近傍の部分側面側断面図である。
【図１７】本発明のブラシにて、該取付部位と該取付部材はネジ構造により嵌め込む他の態様の取付部位近傍の部分側面側断面図である。
【発明を実施するための形態】
【００３６】
まず本発明の口腔清掃用ブラシの全体像と使用方法の概略について図面を参照しながら説明する。
図１は本発明の口腔清掃用ブラシ１ａであり、口腔清掃用不織布４ａ１、４ａ２を取り付ける取付部位２ａとブラシ柄部３ａとブラシの持ち手となる本体部１ａ'を有するものである。取付部位２ａとブラシ柄部３ａとブラシの持ち手となる本体部１ａ'の全てが一体であっても良いし、取付部位２ａとブラシ柄部３ａの間で分離可能および／またはブラシ柄部３ａとブラシの持ち手となる本体部１ａ'の間で分離可能であっても良い。ブラシ全体の長さは好ましくは３〜３０cm、より好ましくは５〜２０cm、さらに好ましくは７〜１５cmである。前記数値範囲の下限を下回ると持ち難くなり、一方、上限を上回ると使い勝手が悪くなり、いずれも好ましくない。
【００３７】
また、ブラシ柄と本体は略平行であっても良いが、使い勝手を考慮すると好ましくは５度以上、より好ましくは１０度以上、さらに好ましくは２０度以上の角度をつけていることが良い。但し、その場合の角度は好ましくは９０度以下、より好ましくは６５度以下、さらに好ましくは４５度以下である。前記数値範囲の上限を上回ると使い勝手が悪くなり好ましくない。さらに前記角度をつけている場合には、本体部１ａ'から見て、屈曲開始位置から取付部位２ａ先端までの長さは好ましくは０．７〜７cm、より好ましくは１．１〜４cm、さらに好ましくは１．５〜２cmである。前記数値範囲の下限を下回ると使い勝手が悪くなり、一方、上限を上回ると使い勝手が悪くなり、いずれも好ましくない。なお、前記角度の定義は、取付部位のＸ方向とブラシ本体の長軸方向の両方向が交差する角の鋭角側である。
【００３８】
また、材質は、特に限定されるものではなく、高分子素材、セラミックス、金属、あるいは、これらの少なくとも２つを複合した複合材の何れであっても良い。但し、口腔、特に歯面に触れる可能性の高い、取付部位２ａ、次いでブラシ柄部３ａは、高分子素材等の柔軟な素材であることが好ましい。というのも、金属あるいはセラミックス等の硬質素材は、硬いので、清掃を受ける患者に不快感を与えるだけでなく、生体を傷つける虞もあるからである。一方、金属あるいはセラミックスは、耐摩耗性、耐熱性等に優れるので、消毒して再利用するのに好適であり、生体に接触する可能性が低い本体部１ａ'次いでブラシ柄部３ａに好ましく用いることが可能である。また、本発明のブラシ、特に本体部１ａ'等は、消毒して再利用し易いことや使いやすいコンパクト性を考慮すると単純な形状であることが好ましく、複数本の板状乃至は棒状体が収束された形状や管状等は極力避けた方が好ましく、また、長軸方向に垂直なネジ、特にネジ回し把手付きネジも避けたほうが好ましい。
【００３９】
なお、口腔清掃用不織布の形状については特に限定されるものではないが、図１（イ）と図１（ウ）の例では、略長方形の不織布を６枚重ねて、当該長方形の長辺の中点に立てた垂直線にて６枚重ねたまま２つ折りにし、折り返し線に近い方で、重ね合わせを束ねるようにステープル等の留め具や熱融着乃至は化学接着して固定化たものであり、図１（イ）と図１（ウ）には、それぞれ、折った長方形の面側から見た外観４ａ１と積み重ね断面側から見た外観４ａ２を図示している。この不織布のサイズは特に限定されるものではないが、長さは、好ましくは３〜３０mm、より好ましくは６〜２５mm、さらに好ましくは１０〜２０mmである。前記数値範囲の下限を下回ると清掃性能が悪くなり、一方、上限を上回ると使い勝手が悪くなり、いずれも好ましくない。幅は、好ましくは３〜３０mm、より好ましくは５〜２０mm、さらに好ましくは７〜１７mmである。前記数値範囲の下限を下回ると清掃性能が悪くとなり、一方、上限を上回ると使い勝手が悪くなり、いずれも好ましくない。厚さは、好ましくは０．７〜２０mm、より好ましくは１．５〜１５mm、さらに好ましくは３〜１０mmである。前記数値範囲の下限を下回ると装着し難くなり、一方、上限を上回ると使い勝手が悪くなり、いずれも好ましくない。
【００４０】
取付部位２ａは図１の場合、略コの字型の形状を有するものである。なお、本発明では、取付部位は多くの場合、略コの字型の形状を有するが、後述の取付部材が略コの字型の形状であったり、取付部位と取付部材で併せて略コの字型の形状となる場合には、取付部位自身が略コの字型の形状である必要がない場合があり得る。
【００４１】
さて、この略コの字型の形状については、厳密には二次元の文字とは異なり、三次元形状を有するものであるので、断面が略コの字型の形状を有するというべきである。則ち、取付部位２は以下の式で表される図形を基本とするものである。
【００４２】
本発明に係る口腔清掃用ブラシは、口腔清掃用ブラシであり、該口腔清掃用ブラシには口腔清掃用不織布を取り付ける取付部位とブラシ柄部を有し、かつ、以下の式で表される図形を基本とする略コの字型の形状を有する。
【００４３】
【数４】
2016097104.tif 000006
ただし、上記式において、Ｘ0、Ｙ0、Ｚ0は正の実数、
なお、１，２番目の中括弧｛｝の図形をｚ面、３番目の中括弧｛｝の図形をｘ面、
以下の式で表される領域を正面開口部、
【００４４】
【数５】
2016097104.tif 000007
以下の式で表される領域を側面部、
【００４５】
【数６】
2016097104.tif 000008
とする。
【００４６】
ここで、「以下の式で表される図形を基本とする」というのは、当該式は凡その定性的な概観を示すだけである。なお、前記式のｘｙｚ軸の方向は以下の本発明の説明にて準用する。則ち、略コの字開口部が向いている方向をｘ方向、略コの字断面の法線方向をｙ方向、前２方向に垂直で、略コの字の上下方向をｚ方向とする。いずれにせよ、本発明は、前記式の厳密な数学的定量性に拘束されるものではなく、例えば、当該式では、各面は厚さ０の方形となるが、実際の本発明のブラシの取付部位には厚さがあり、平面形状についても末広がりという場合もありえるものであり、寧ろそのほうが好ましいものである。また、各面は平らな平面とは限らず、曲面や屈曲面であることも有り得る。また、各面同士が直角に交わるとは限らない。つまり、以上の状況も踏まえると、以下の式の通りとなるどころか、実際にはさらに複雑なものとなる。
【００４７】
【数７】
2016097104.tif 000009
但し、上記式において、「ｆ」で始まる記号はカッコ内のパラメ−タを変数とする関数である。
【００４８】
参考までに、Ｘ0は好ましくは１〜３０mm、より好ましくは３〜１５mm、さらに好ましくは６〜１０mmである。前記数値範囲の下限を下回ると不織布が取り付け難くなり、一方、上限を上回ると使い勝手が悪くなり、いずれも好ましくない。
【００４９】
Ｙ0は好ましくは３〜３０mm、より好ましくは５〜１５mm、さらに好ましくは６〜１０mmである。前記数値範囲の下限を下回ると不織布が取り付け難くなり、一方、上限を上回ると使い勝手が悪くなり、いずれも好ましくない。
【００５０】
Ｚ0は好ましくは１〜３０mm、より好ましくは２〜１０mm、さらに好ましくは３〜６mmである。前記数値範囲の下限を下回ると不織布が取り付け難くなり、一方、上限を上回ると使い勝手が悪くなり、いずれも好ましくない。
【００５１】
ｚ面の平均厚さは好ましくは０．５〜２０mm、より好ましくは１〜１０mm、さらに好ましくは２〜４mmである。前記数値範囲の下限を下回ると強度が不足したり、固定が難しくなり、一方、上限を上回ると使い勝手が悪くなり、いずれも好ましくない。ｘ面の平均厚さは好ましくは０．５〜２０mm、より好ましくは１〜１０mm、さらに好ましくは２〜４mmである。前記数値範囲の下限を下回ると強度が不足したり、固定が難しくなり、一方、上限を上回ると使い勝手が悪くなり、いずれも好ましくない。
【００５２】
なお、各ｚ面とｘ面との略コの字内腔の角度は好ましくは３０〜１２０度、より好ましくは６０〜１１０度、さらに好ましくは８０〜１００度である。前記数値範囲の下限を下回ると不織布が取り付け難くなり、一方、上限を上回ると不織布が取り付け難くなり、いずれも好ましくない。
【００５３】
また、Ｘ0／Ｙ0の比は好ましくは０．１〜３、より好ましくは０．５〜２、さらに好ましくは０．７〜１．４である。前記数値範囲の下限を下回ると使い勝手が悪くなり、一方、上限を上回ると使い勝手が悪くなり、いずれも好ましくない。Ｙ0／Ｚ0の比は好ましくは１〜１０、より好ましくは２〜５、さらに好ましくは３〜４である。前記数値範囲の下限を下回ると不織布が取り付け難くなり、一方、上限を上回ると不織布が取り付け難くなり、いずれも好ましくない。Ｚ0／Ｘ0の比は好ましくは０．０５〜３、より好ましくは０．１〜１．５、さらに好ましくは０．２〜１．３である。前記数値範囲の下限を下回ると不織布が取り付け難くとなり、一方、上限を上回ると不織布が取り付け難くとなり、いずれも好ましくない。
【００５４】
さらに、上下のｚ面同士は互いに大きさや形が発明の効果に差支えなければ、異なっていても良いし、それぞれ、ｙ方向に大きさや形状が非対称乃至は非対称的に異なっていても良いし、前述の通り正方形乃至は長方形に限定されず、台形や扇型であっても良い。また、単なる平面ではなくても良く、前述のような曲面以外に、後述する通り、返し、より具体的には、溝状滑り止め、イボイボの形状等を有していても良いし、穴やスリットを有していても良い。これらの事情は後述する取付部材についても同様である。
【００５５】
さて、図１に図示されている本発明のブラシ１ａは、典型的には図２の通り取付部位２ｂの略コの正面開口部からｘ面へ向かって小片の不織布ないしはその束４ｂが挿入されて、図２の通りの態様にて口腔内面乃至は歯面５ｂ等の清拭がなされるものである。なお、前記の挿入方法に限定されるものではなく、例えばｙ方向から横滑りで挿入することも有り得る。前記清拭の際、清掃対象５ｂと不織布４ｂの間には、圧縮力が加わり、摩擦力が作用して不織布を引き抜く方向に働く。
【００５６】
しかしながら、同時に、少なくとも一方のｚ面の正面開口部側の辺と不織布の間にも、圧縮力が加わって摩擦力が作用する上に、この正面開口部側の辺の角と清掃対象との間にて、返し構造（図２において、ブラシと清掃対象との間隙について見た場合、ｚ面の正面開口部側の略コの字の内部空間側の角Ｂ１と当該ｚ面の当該角近辺の内面Ｂ２での間隙の差Ｂによる）が形成されて不織布の脱離を阻止する働きも加わるためと推測されるのだが、意外にもそう簡単には不織布は抜け落ちないものである。
【００５７】
このように、本発明では、極めて単純で、一見、容易に抜け落ちそうに思える構成にもかかわらず、予想以上の保持能力を発揮する優れたものではあるが、本発明のブラシの不織布を保持する性能をさらに向上させる比較的簡便な態様もいくつかあるので、以下にその詳細を説明する。
【００５８】
その方法としては、該ブラシへの該不織布の取り付けに効果を奏する取付部材６を用いることにより、効果が奏されるものである。その取付部材６は、ブラシに対して可動または装着可能であることが好ましい。というのも、前記の通りの動作可能である場合、当該動作の前後にて、不織布が取り付け易い状態（＝脱離しやすい状態）から脱離し難い状態（＝装着し難い状態）に変化する事が可能だからである。つまり、当該取付部材は、取付部位と、例えば木材建築におけるほぞとほぞ穴のほぞ接ぎのような剛体の組み立て構造を形成することによって、一旦取り付けられた不織布の脱離が不可能乃至は困難となるように構成されていたり、或いは、取付部材および／または取付部位のゴムのような弾性変形や関節継手のような折り畳み変形にて組み立てられることによって、一旦取り付けられた不織布の脱離が不可能乃至は困難となるように構成されているものである。或いは、両構成が組み合わさったものであっても良い。また、前記構成に関連して、取付部材および／または取付部位には、不織布の脱落を防止可能な返し構造を有していることが好ましく、さらには、取付部材と取付部位との間にも、返し構造を有していることが好ましい。
【００５９】
なお、返し構造とは、対象物が主体に一旦取り付けられる方向に進む分には、大きな抵抗はないが、脱落する方向に退く際には大きな抵抗となる構造であり、例えば、釣り針の返し等で例示される静的構造が典型的な例であるが、取り付けられた後に構造変化することにより、脱落する方向に退く際には大きな抵抗となる、動的構造も包含される。また、釣り針のように先端部に一箇所当該構造を有するものだけでなく、先端部以外に有していたり、複数有していたり、多数の溝や点状の凸凹が設けられていたりする態様も例示できる。
【００６０】
本発明において、好適な態様としては、該取付部材は断面が略コの字型の形状を有し、かつ、外力により、例えば弾性的に、屈曲して外形を小さくすることが可能であり、該不織布を挟み込む事が出来、該取付部材は少なくとも前記の通り外形を小さくした状態においては、取付部位に嵌め込み可能であり、前記不織布とともに取り付けることが可能であることを特徴とする口腔清掃用ブラシである。ここで外形を小さくするとは、弾性変形などにより当該構造体により構成されている内部空間が小さくなり、見た目の体積や幅が減少ことを指し、気体の圧縮のように真の体積が大きく縮小する必要はないものである。
【００６１】
上記に関し、より詳細には、本発明の好適な態様としては、該取付部材は断面が略コの字型の形状を有し、かつ、内面角の少なくとも一方は、外力により弾性的に屈曲して角度を小さくすることが可能であり、該不織布を挟み込む事が出来、該取付部材は少なくとも前記の通り角度を小さくした状態においては、取付部位に嵌め込み可能であり、前記不織布とともに取り付けることが可能である  口腔清掃用ブラシがある。また、該取付部材の略コの字内面において、コの字の開口部から見て、内部側よりも外部側が狭窄している部位を有することを特徴とする口腔清掃用ブラシである。
【００６２】
まずその一例としては、図３に図示する。
ここでは、取付部材６ｃは、角の部分が弾性的に変角自在になっており、非拘束状態においては、内角は略直角よりも大きい状態である。これを弾性的に変角変形させて、内角を略直角よりも小さくして、不織布４ｃを取付部材の不織布挟み込み突起７ｃにて挟みこむ。このまま、略直角の角を有する取付部位２ｃの内部に挿入して、手指等による外力から開放されると、取付部材６ｃの角の部分が弾性的に復元する力により取付部材６ｃの外面は取付部位２ｃの内面に圧着して安定して配置される。また、さらに必要ならば、図３に図示されたように、取付部材６ｃに設けられた返し突起８ｃが取付部位の返し受け９ｃに嵌合して、より安定に配置されることが可能である。この返しの組み合わせの構造は、ｙ方向の全幅に渡り貫通していても良いし、取付部材６ｃがｘ方向に沿って挿入される場合ならば、一部に形成されていても良いし不連続に複数も受けられていても良いが、ｙ方向の全幅に渡り貫通している方が、この噛み合せの際にｙ方向に高い精度が要求されないので好ましい。因みに、その後、取付部材を取り出す必要が有る際は、図３の例では、取付部材の外端が取付部位よりも少しはみ出す構造にしておくことにより、当該はみ出し部位を摘むことにより、取付部材を再度弾性変形させて引き出すことが容易に可能となるようにすることが好ましい。
【００６３】
或いは、ｘ方向ではなくて、ｙ方向から出し入れできるように構成していてもよい。その場合には、前記はみ出し部位がなくても差し支えない場合がある。
ところで、突起７ｃは、取付部材６ｃの外端部にあることが好ましく、取付部材６ｃの最外端部分から、好ましくは２０mm以内、より好ましくは１０mm以内、さらに好ましくは５mm以内の位置に突起７ｃの少なくとも一部分がある。あるいは、取付部材６ｃのｘ面から、好ましくは５mm以上、より好ましくは８mm以上、さらに好ましくは１０mm以上離れた位置に突起７ｃの少なくとも一部分がある。これらの数値範囲外であると不織布の脱着が難しくなり好ましくない。また、取付部材が取付部位に配置された状態においては、対向するｚ面乃至は突起７ｃから、好ましくは２０mm以下、より好ましくは５mm以下、さらに好ましくは１mm以下の位置に突起７ｃの少なくとも一部分がある。なお、突起７ｃは、図３の例のような方形突起とは限定されず、三角形あるいは台形突起であっても良い。さらに、一つのｚ面に当該突起を複数有していても良いし、図３の例のように単数有していても良いし、一方の突起７ｃに対向するｚ面に対応する位置にもう一方の突起７ｃが図３の例のようにあっても良いし、無くても良い。以上の通り詳述した取付部材６ｃの位置や形状の好適な態様は、取付部材６ｃに留まらず、取付部位の突起や、取付部材若しくは取付部位の内壁の傾斜若しくはテーパーにも当てはまることである。
【００６４】
図４においては、取付部材６ｄのｘ平面の略中央部にはｙ方向に走行する屈曲可能部位１０ｄを少なくとも１つ有しており、取付部材内角の弾性的変角と併せて、不織布４ｄを挟みこむ。このまま、略直角の角を有する取付部位２ｄの内部に挿入して、放すと、取付部材６ｄの角の部分等が弾性的に復元する力により取付部材６ｄの外面は取付部位２ｄの内面に圧着して安定して配置される。なお、屈曲可能部位１０ｄを多数設けるか、ｘ平面のほぼ全面に渡って弾性変形可能にしておくと、例えば取付部材内角の弾性的変角等を必要とすること無く、単独にて、取付部位内部に配置することができる。
【００６５】
取付部位には不織布直接返し突起１１ｄや不織布間接返し突起１２ｄを有することが好ましい。図４では都合上、両者を併載したが、それぞれ、単種類を有するものであっても良い。不織布直接返し突起１１ｄは、不織布４ｄに直接接して挟みこむことにより不織布を固定する。一方、不織布間接返し突起１２ｄでは、不織布４ｄには直接接しないが、取付部材を抑えこむことによって、内面に返し構造を形成させて、不織布４ｄを挟み込むものである。勿論、不織布４ｄに直接接して挟みこむことにより不織布を固定しつつ、取付部材を抑えこむことによって、その内面に返し構造を形成させて、取付部材により不織布４ｄを挟み込むという形態の返し突起であっても良い。因みに、図４に図示した通り、不織布直接返し突起１１ｄや不織布間接返し突起１２ｄは、取付部材の脱落を予防する返し構造も兼ねていることも好ましい。
【００６６】
なお、図４の通り、ｙ方向に少なくとも一方のｙ空部に貫通しているｘ面凹み部１３ｄやｚ面凹み部１４ｄを設けておいて、そこに棒状部材を通貫させて、取付部材６ｄを押圧することにより、取付部材６ｄはｘ方向に容易に取り出すことができる。なお、図示していないが、図４の不織布間接返し突起１２ｄの位置をずらして、取付部材６ｄの外端部よりもｘ方向に内側に設けると、ｘ方向に不織布間接返し突起１２ｄよりも取付部材６ｃが外部にはみ出す部分ができるので、それを摘むことにより、ｘ方向から取付部材を摘み出す事ができる。あるいは、不織布間接返し突起１２ｄを図４の通り、そのままで、取付部材６ｃの図４の図示よりもｘ方向に長くしても同様である。
【００６７】
或いは、図４に例示されている態様においても取付部材６ｄはｙ方向に入れたり、出したり、することができるように構成しておいても良い。
図４の態様では、取付部材６ｄを用いているが、これを用いなくとも、取付部位２ｄのみで直接不織布を取り付けることは可能では有る。
【００６８】
該取付部位および／または取付部材の略コの字内面において、略コの字の開口部から見て、内部側よりも外部側が狭窄している部位を有する口腔清掃用ブラシとしては、開口部（ｘ空部）に不織布挟み込み突起７ｃ（図３参照）を有しているものだけでなく、図５の通り、取付部材の側内面が全体的に傾斜面と成して内部側よりも外部側が狭窄している態様も例示できる。このような場合、例えば、取付部位２ｅおよび／または取付部材６ｅはゴムやポリエチレン等のように可撓性や弾性を有していて、必要に応じて適当な補助器具を併用して、人の手指にて、弾性変形可能であれば、ｘ方向から組み込むことができるが、両者とも剛性が高く変形が困難な場合には、該取付部材は該取付部位の略コの字をなしている平面に垂直な方向、即ちｙ方向からは嵌め込み可能にすることが好ましい。この場合、さらに、略コの字の開口部方向、即ちｘ方向からは脱離不可能または困難である構造を有する態様も好ましい。例えば、さらに念の為、該取付部位と取付部材は、該垂直な方向に嵌合可能な、嵌合溝とそれに対応する嵌合突起を有することも好ましい。
【００６９】
つまり、図５の通り、取付部位内面に底部拡大溝７ｅ、取付部材外面に頂部拡大脈上突起８ｅをｙ方向に走行するように設けて置いて、嵌合させても良い。勿論、前記溝と突起の配置を前記とは逆（取付部位内面に突起、取付部材外面に溝）にしてもよいし、底部縮小溝と頂部縮小脈上突起の組み合わせであっても良い。
【００７０】
本発明のブラシの態様としては、取付部位の少なくとも一方の側面部が中央部よりもｚ方向に幅広く開口していると側面部から不織布や取付部材を挿入しやすくて好ましい。そのような例としては、図５（イ）で図示した通り、これはｘ方向から見たものであるが、取付部位は、ｙ方向の一方に（この図では上方に）進むに連れてｚ方向が幅広くなるテーパーをかけることが挙げられる。なお、図５（ウ）で図示した通り、これはｚ方向から見たものであるが、取付部位と取付部材をｙ方向の一方に（この図では上方に）進むに連れてｘ方向が幅広くなるテーパーをかけることにより取付部材を取付部位に取り付けやすくなる。勿論、ｘ，ｚ両方向にテーパーをかけても良い。また、テーパーを付けた取付部材の尖頭に先端返し６ｅ３を附するとより確実に固定化できる。これは、テーパーの内接側部材の先端のテーパーを少し膨らませた係合突起である先端返し６ｅ３を設けておくことにより、これが、テーパーの外接側部材を突き抜けた際に返しとなって、外接側部材の突き抜け側外端に係合するものである。この返しは帰り方向にも緩やかな傾斜を付しておくと、引き抜く際の抵抗は比較的少なく、引き抜き易くなる。なお、この図の例とは違い、外接側部材を突き抜けなくとも、外接側部材の先端側内面に前記係合する返しの突起に対応した返し凹部を設けて置いて係合させても良い。これらの係合は、内接側乃至は外接側の少なくとも一方の部材の材料自体の弾性や構造的可撓性にて対応させることができる、というよりも、それらが全くなければ、最後の寸前でつかえて不都合である。因みに、図５の例では外接側の取付部位２ｅは略コの字であるので、構造的に可撓性は発揮しやすい構造を有するものである。
【００７１】
図５の態様では、取付部位２ｅは、取付部材６ｅを併用しているが、これを用いなくとも、直接不織布を取り付けることは、可能では有る。
あるいは、図６に図示した通り、側面部付近を略台形角柱形状（但し、台形の上辺はｙ方向内側、下辺はｙ方向外側）に切り取り、大きく切り開いた形態が例示できる。この例では、さらに、図６（ア）に示した通り、取付部位２ｆの略コの字内面は、ｘ面１８ｆに近づくに連れてｚ方向に広がるようにテーパーがかけられている。そして、側面切り欠き面１６ｆと側面非切り欠き面１７ｆがｙ方向正面に見えており、内腔は、手前のｙ空部から中央に行くのに従い、ｚ方向に幅が狭まるテーパーがかけられている。
【００７２】
なお、図６（イ）で、ｘ方向正面から見えないｚ面とｘ面との角の部分は破線で示されている。
若しくは、図７に図示した通り、側面部付近を三角錐形状（但し、三角錐底面はｘ面上であり、当該底面三角形の一辺はｙ方向外側対向する頂点はｙ方向内側）に切り取り、ｘ面側に大きく切り開いた形態が例示できる。この例では、図７（ア）に示した通り、図６の態様と同様に、取付部位２ｇの略コの字内面は、ｘ面１８ｇに近づくに連れてｚ方向に広がるようにテーパーがかけられている。そして、側面切り欠き面１５ｇと側面非切り欠き面１７ｇがｙ方向正面に見えており、切り欠き部はｘ面に近づくに従ってｚ方向に広がるテーパーがかけられている。
【００７３】
図７（イ）に図示した通りｘ方向から見た際に、図切り欠き部が外端に達せず、切り欠きが見えない構成でも良いし、図示していないが、切り欠き部が外端に達して、見える構成であっても良い。なお、図７（イ）で、ｘ方向正面から見えないｚ面とｘ面との角の部分は破線で示されている。
【００７４】
本発明のブラシの態様としては、該取付部位の略コの字の開口部をＸ方向正面から見た際に、中央部には幅広帯２０ｈ(断面Ｂ−Ｂ'、図８（ウ))が、少なくとも一方の側面には狭窄帯１９ｈ(断面Ａ−Ａ'、図８（イ))を有し、前者と比して後者は、ｚ方向開口幅がより狭く設定されている。なお、図８では、取付部位に、取付部材のみが装着される態様が図示されているが、これに代えて、不織布を取り付けた取付部材や不織布のみが装着される態様も有り得るものである。該狭窄帯１９ｈは、非束縛状態の該不織布または取付部材６ｈ２は通過不能であり、例えば弾性的に、変形させた該不織布または取付部材６ｈ１は通過可能であり、前記弾性変形の形状復元力により、該不織布または取付部材は該取付部の幅広帯２０ｈ内に安定固定されて好ましい。則ち、不織布または取付部材を押圧して小さくするなどして当該狭窄帯を通過せしめた後、狭窄帯より広い中央部において少なくとも部分的に形状を弾性的に復元することにより、自然状態では狭窄帯を再度通過することが困難となる。この際中央部の空間は、ｙ方向には取付部材の幅とちょうど同じ幅に調整しておいて、左右に隙間が生じないように調整しておくか、ｚ方向には不織布または取付部材が完全に形状を弾性的に復元できないていどの大きさに調整しておく事により、不織布または取付部材は該取付部内に安定固定可能である。なお、図８の通り、側部の狭窄帯と中央部の幅広帯とはｙ方向に不連続に幅などが切り替わる形態、則ち、略階段状であっても良いし、或いはこれとは違い、斜面にて連続的に変化していく形状であっても良い。後者の斜面形状ならば、取付部材を取り外しやすくて好ましい。また、図８（イ）、（ウ）の態様とは異なり、ｘ方向に外部に向かって取付部位よりも取付部材が少し飛び出ているように形成しておけば、その飛び出た部分を抓まんで、取付部材を変形させて外形を小さくし、容易に取り出すことができる。
【００７５】
また、図８に図示した態様において、該狭窄帯１９ｈは、ｙ方向の内部側断面はそのままで、ｙ方向の外部側断面を拡大して、場合によっては、幅広帯２０ｈよりも大きくなるようにテーパーをかけても良い。そうすると、最初の挿入が容易になって好ましい。
【００７６】
一方、取付部材の方に関して、図８の（エ）の通り、取付部位ｚ面内側に接する取付部材ｚ面外側の形状がｙ方向両外側に向かってｚ方向に狭まっていく傾斜を設けられた取付部材６ｈ３を用いても良いが、その場合、取付部位の幅広帯２０ｈもこの形状に対応して形成されていることが好ましい。さらに、幅広帯２０ｈと狭窄帯１９ｈが一体となって、取付部材６ｈ３の傾斜に対応して形状を有していても良い。
また、取付部位も剛性材料に限定されるものではなく、弾性材料にて構成されていて、その弾性変形性を活用して、前記挿入を容易ならしめるようにしてもよい。
【００７７】
本発明のブラシの態様としては、該取付部位の略コの字が略エの字になるような把手を有し、該把手を手指にて押圧することによって、取付部位開口部が広げて、該不織布を取り付けることが可能であるものも好ましい。則ち、図９（ア）の通り、把手２１ｉを有することにより、押圧して取付部位の開口を弾性的に広げて、不織布乃至は取付部材をｘ方向から容易に取り付けることが可能であり、ｙ方向からでも可能である。或いは、図示していないが、該把手の一方は、該取付部位に接続しているブラシ柄部が兼用している構成であっても良い。把手２１ｉのｘ方向の長さは、３〜４０mm、より好ましくは５〜３０mm、さらに好ましくは７〜１５mmである。前記数値範囲の下限を下回ると指でつまめなくなり、一方、上限を上回ると使い勝手が悪くなり、いずれも好ましくない。なお、把手２１ｉのｘ方向の長さは、取付部位ｘ面からの長さである。把手２１ｉのｚ方向の太さは、０．１〜２０mm、より好ましくは０．５〜１０mm、さらに好ましくは２〜５、mmである。前記数値範囲の下限を下回ると強度が弱くなり、一方、上限を上回ると使い勝手が悪くなり、いずれも好ましくない。
【００７８】
なお、ブラシを用いて清掃作業をする際に、かかる把手２１ｉは作業の妨げとなることが煩わしいようならば、図９（イ）の通り、取り外し可能把手６ｉを有してなる構成が好ましい。取り外し可能把手６ｉは、清掃作業の妨げとなる虞がないので、その長さや太さの上限値の制限はより少なくなり、把手６ｉのｘ方向の長さは、７０mm以下、より好ましくは４０mm以下、さらに好ましくは３０mm以下である。前記数値範囲の上限を上回ると操作性が悪くなり、好ましくない。把手６ｉのｚ方向の太さは、２０mm以下、より好ましくは１０mm以下」、さらに好ましくは５mm以下である。前記数値範囲の上限を上回ると使い勝手が悪くなり、好ましくない。
【００７９】
取付部位２ｉと取り外し可能把手６ｉの間には、引張されても互いに剥がれないように剥離防止手段が備えられていることが好ましく、例えば、ｙ方向に走行する返し型嵌合を設けておくことが好ましい。図９（イ）の例では、返し型嵌合は、把手側返し型嵌合雌型７ｉと取付部位側返し型嵌合雄型８ｉの組み合わせにて構成されているが、雄雌型逆になっていても良い。
【００８０】
なお、返し型嵌合雄型８ｉの方は、強度的に問題さえなければ、必ずしもｙ方向に貫通して存在している必要はなく、ｙ方向に貫通した雌型において、一部にのみ雄型が存在していたり、不連続に雄型が存在していても、貫通するのに不自由しない。また、上下の取り外し可能把手６ｉはそれぞれ、上下分離した構成であっても良いが、ｙ方向の一方の側部に上下を連絡する架橋２２ｉにて結合しておいても良い。また、架橋２２ｉを取付部材のｙ方向の両側部に取り付ける場合には、少なくとも一方の架橋２２ｉが充分な長さおよび／または伸縮性を有していれば、その輪を広げたところにｘ方向から取付部位を挿入したのち、ｙ方向にスライドして当該嵌合を嵌め込むことが可能である。因みに架橋２２ｉをｘ面側部近傍に設けると、ここは取付部位を開口させる際の支点なので、架橋２２ｉは伸長を強いられることはほとんどなく、押圧負担も少なくて好ましい。
【００８１】
上下の取り外し可能把手６ｉをｘ方向に脱着させるためには、前記返し型嵌合をｘ方向に走行させた構成にすれば良いが、或いは図１０の通り、走行の幅方向、則ちｙ方向には返し構造を構成していなくても、例えば引掛鈎部２３ｊ等にて走行方向、則ちｘ方向に返し構造を構成していれば問題ない。
【００８２】
引掛鈎部２３ｊと取り外し可能把手６ｊにて、取付部位２ｊが挟み込まれる部分の角度は、好ましくは５〜８０度、より好ましくは１０〜６０度、さらに好ましくは２０〜５０度である。前記数値範囲の下限を下回ると脱着が難しくなり、一方、上限を上回ると引っ掛かりが甘くなり、いずれも好ましくない。また、当該引掛鈎部２３ｊが前記角度を成して取付部位２ｊに接する斜面長さは、好ましくは０．３〜２０mm、より好ましくは１〜１３mm、さらに好ましくは３〜７mmである。前記数値範囲の下限を下回ると引っ掛かりが甘くなり、一方、上限を上回ると脱着が難しくなり、いずれも好ましくない。さらに、引掛鈎部２３ｊと取り外し可能把手６ｊの接続長さ、或いは、当該角からｘ方向外端までの間隔は、好ましくは０．８〜１３mm、より好ましくは１．５〜８mm、さらに好ましくは２〜５mmである。前記数値範囲の下限を下回ると潰れることとなり、一方、上限を上回ると使い勝手が悪くなり、いずれも好ましくない。
【００８３】
さて、ここで、空間２４ｊは、取付部位２ｊにて占められていて引掛鈎部２３ｊと不織布とは隔てる構成であっても良いが、その場合は、引掛鈎部２３ｊが円滑に収納されるように空間２４ｊの引掛鈎部２３ｊと接する側の斜面の傾斜を調整するが好ましい。則ち、図１０よりも前記傾斜の角度を空間２４ｊの略コの字内部側面の傾斜角度に近づけた方が好ましい。ただし、空間２４ｊおよび／または引掛鈎部２３ｊの弾性変形により調整可能ならば、その必要性はない。また、空間２４ｊは、何もない空き空間としてもよい。その場合は、図１０の通り、空間２４ｊは引掛鈎部２３ｊと接する斜面の傾斜を不織布に接しないように外部に広がる方向に調製されるべきである。或いは、空間２４ｊは引掛鈎部２３ｊの一部であるという構成であっても良い。その場合図１０（イ）のように、引掛鈎部２３ｊは、内部に向かっては、ｙ方向の幅が細まっていく形状であれば、不織布と接する面積が小さくなるので、引き抜く際には、不織布の脱落を招く虞は少なくなる。なお、前記の通り、空間２４ｊの構成として、３通りの態様を例示したが、これらのうち少なくとも２つが組み合わされた構成であってもよい。因みに空間２４ｊの構成は、図１０（イ）の例の通り、ｙ方向に部分的に形成されていてもよいし、空間２４ｊが引掛鈎部２３ｊの一部であるという構成以外は、ｙ方向に貫通して形成されていても何ら差支えない。さらに架橋２２ｊは１つ以上が省略されても何ら差支えない。
【００８４】
本発明のブラシの態様としては、該取付部位および／または取付部材の略コの字の少なくとも内部空間が屈曲しているものも好ましい。例えば、図１１の通り、取付部位２ｋおよび取付部材６ｋの略コの字の少なくとも内部空間が屈曲している態様が例示されるが、取付部材を用いなくても良いし、取付部位と取付部材の間の取り付け形態は、屈曲ではなくて、図３〜１０等で紹介した取り付け形態であっても良い。内部空間が屈曲している場合、内部空間は内部から外部に向かって、狭くなっていく形状でなくても、取付固定でき、外部に向かって広がりが一定であっても良いし、場合によっては広がっていく形状であっても良い。屈曲の鋭角側の角度は、好ましくは１０〜１５０度、より好ましくは３０〜１２０度、さらに好ましくは６０〜１１０度である。前記数値範囲の下限を下回ると脱着が難しくなり、一方、上限を上回ると固定が甘くなり、いずれも好ましくない。屈曲の数は、好ましくは１〜１０箇所、より好ましくは２〜７箇所、さらに好ましくは３〜５箇所である。前記数値範囲の下限を下回ると固定が甘くなり、一方、上限を上回ると脱着が難しくなり、いずれも好ましくない。
【００８５】
また、屈曲の山と谷の落差は、好ましくは０．５〜１０mm、より好ましくは１〜６mm、さらに好ましくは２〜４mmである。前記数値範囲の下限を下回ると固定が甘くなり、一方、上限を上回ると構造上強度が低下したり、挿入が難しくなり、いずれも好ましくない。屈曲の一つの区間の長さは、好ましくは０．５〜１０mm、より好ましくは１〜６mm、さらに好ましくは２〜４mmである。前記数値範囲の下限を下回ると脱着が難しくなり、一方、上限を上回ると固定が甘くなり、いずれも好ましくない。
【００８６】
本発明のブラシの態様としては、該取付部位が該取付部材の内面に嵌め込まれることにより、該取付部位の少なくとも一部が該取付部材の少なくとも一部に押圧されて変形する事が可能であるものも好ましい。例えば、本発明のブラシの態様としては、該取付部位の外面は略コの字開口部に向かって広がった形状を有しており、該広がりよりも狭い内面を有する該取付部材を嵌め込むことにより、該取付部位を押圧して前記広がりを狭める事が可能であるものも好ましい。
【００８７】
則ち、取付部位が弾性等により変形可能に構成されていて、不織布を挿入した後、人力等で変形させて、一旦不織布を仮固定し、取付部材をさらに取り付けることにより、その状態を安定化させるものである。そのためには、前記取付部材は非拘束状態における該取付部位の少なくとも一部の外面よりも狭い内面を有する該取付部材にて当該外面を拘束して、その状態を安定して固定化可能である必要がある。
【００８８】
当該取付部材は、本発明のブラシに対して、脱着自在でも良いし、可動であるのみで脱離困難であっても良い。前者の場合は、洗浄の利便性で都合が良い場合が多く、後者の場合では、取付部材の紛失の防止等に便利である。また、嵌め込む方向は取付部位開口部前方からでも良いし、後方のブラシ柄側からでも良いし、側面のｙ方向やｚ方向からでも良い。しかしながら、前方からでは、不織布が邪魔になる可能性が有り、側面でも嵌め込むのに精度が要求されのに対して、後方からならば、ブラシ柄や取付部位の形状がガイドラインの働きをするので、図１２の通り、後方からスライドしていって、嵌め込むことが好ましい。
【００８９】
取付部位２ｌを安定して固定化するためには、取付部材６ｌは剛体乃至は少なくとも取付部位よりも変形しにくい弾性体であることが好ましい。また、嵌合構造を設けておくことも好ましく、例えば、図１２においては、取付部位側嵌合突起７ｌと取付部材側嵌合溝８ｌにて嵌合させているものである。
【００９０】
本発明のブラシの態様としては、該取付部材は該取付部位の外面から覆い、不織布に対する返し構造を形成するものも好ましい。この場合には、該取付部材と該取付部位の少なくとも一方が弾性等にて変形可能であることが好ましい。特に取付部位が変形しにくい剛体で、取付部材が変形しやすい構造を有する構成である組み合わせが好ましい。例えば図１３（ア）の通り、後方より返し構造７ｍを有する取付部材６ｍをスライドさせて、これを例えば弾性的に変形させ、図１３（イ）の通り、取付部材６ｍは取付部位２ｍの外面から覆い、取付部位２ｍに不織布に対する返し構造７ｍを形成するものである。前記弾性的に変形できるのは、取付部材６ｍ全体であっても良いし、返し構造７ｍの部分のみであっても良いし、逆に返し構造７ｍ以外の部分のみであっても良い。
【００９１】
本発明のブラシの態様としては、該取付部材は該取付部位内部に可動に内蔵され、該取付部位開口部の返し構造にて該取付部材から取り外されることが抑制されているものも好ましい。例えば図１４の通り、弾性等で変形可能な取付部材６ｎは、不織布を挿入して挟み込ませたのち取付部材側嵌合突起７ｎは、取付部位側嵌合溝８ｎの範囲内を軌道として限定範囲内を移動可能であり、取付部材を内部の方へ移動させると取付部位側返し構造により、取付部材の開口は押さえつけられ、安定して不織布を保持・固定化されるものである。空間２４ｎは前記嵌合が逸脱しない範囲内にて、何もない空の空間としてあってもよいし、少なくとも一部は取付部位によって占められ閉鎖されているものであっても良い。或いは取付部材の可動を妨げない範囲で少なくとも一部は取付部材によって占められているものであっても良い。さらには前記３者の少なくとも２つ併存した構成であっても良い。なお、図１４の通り、取付部材のｚ面内面には、点状の凸凹乃至はｙ方向に走行する溝を有したり、取付部材のｚ面外面が平行状態になった状態において、ｚ面内面は外部に向かって狭まっていく構造になっているとより不織布の保持性を高めて好ましい。
【００９２】
本発明のブラシの態様としては、該取付部位と該取付部材はネジ構造により嵌め込む構成を有するものも好ましい。
そのような場合、該取付部位が雄ネジであり該取付部材が雌ネジである組み合わせであっても良いし、該取付部位が雌ネジであり該取付部材が雄ネジである組み合わせであっても良い。
【００９３】
不織布の取り付け方としては、雄ネジが雌ネジに螺旋回しされて挿入するに伴い、雄ネジ側と雌ネジ側の特定の部位の間隔がその挿入方向に短くなることにより、不織布を締め付けて固定する方法であっても良い。特に好ましいのは螺旋回しの進行方向がｘ方向に平行な態様である。平行でないと、略垂直な突出構造等を成して、清掃作業の妨げになったり、歯面な口腔粘膜に接触して、患者に不快感や傷害を与える虞が有る。また、取付部位や取付部材以外の第三の部材として独立したネジにて、前記二者を締結する形態は、構成が複雑過ぎて好ましくない。
【００９４】
図１５は、雄ネジである取付部位２ｏと雌ネジである取付部材６ｏの組み合わせの例である。この例では、雄ネジ側は、略コの字形状のｘ面の後端にｘ方向に平行な雄ネジ部２５ｏが結合した構造であり、しかも、開閉部１０ｏにおいて、ネジ軸方向に垂直なｚ方向に嘴のように自由に開閉できる構造を有しており、雄ネジ部２５ｏ自身も当該開閉に伴い２つの分かれたり合して一体なったりする構成である。なお、前記自由に開閉できる構造としては、構成素材自体の弾性や伸縮性に基づくものであっても良いし、一方の構造材の孔状部位に、他方の構造材の軸状部位が貫通していて、引き抜くことが不可能乃至は困難に形成された構造であっても良い。
【００９５】
この構成にて、一旦不織布を挟み込んでネジ締めすると、自由に開くことはできなくなるので、不織布が安定的に固定化されるものである。なお、このネジ部の長さは、好ましくは１〜５０mm、より好ましくは３〜３０mm、さらに好ましくは５〜２０mmである。前記数値範囲の下限を下回ると固定できなくなり、一方、上限を上回ると使い勝手が悪くなり、いずれも好ましくない。
【００９６】
図１５の態様では、取付部位２ｏのｘ面は雄ネジ谷径円内に収まる設定であるが、ｘ面近傍部分が雌ネジの内腔にまで、収容される必要がない構成ならば、ｘ面は雄ネジ谷径円外にはみ出す大きさや形状を有していても良い。或いは、雄ネジである取付部位２ｏの雄ネジ部は、断面が円形に非ず小判のような概観を有する両端平行切除円形（例えば、
【００９７】
【数８】
2016097104.tif 000010
となして、これにネジを切って部分ネジとして、対応したネジが切られた取付部材にて、ネジ締結させてもよい。
【００９８】
なお、図１６に図示した態様は、図１５とは逆に雌ネジである取付部位２ｐと雄ネジである取付部材６ｐの組み合わせの例である。
図１７は、雄ネジである取付部位２ｑと雌ネジである取付部材６ｑの組み合わせの例であるが、図１５の例とは相違して、雄ネジ部は分かれない態様である。この例では、雄ネジ部２６ｑの外部端とｘ面とに間に係止雄型２７ｑを有し、これは、変形部１０qを中心に、素材の弾性や関節的機構により、変形し、さらにこれに連動して当該略コの字形状が開閉して不織布を脱着可能ならしめるものである。一方、雌ネジである取付部材６ｑには雌ネジ部２５ｑの外端に隣接して係止雌型２８ｑの円筒形内腔を有し、ネジの旋回が進むことにより、係止雄型２７ｑは係止雌型２８ｑの内部に内接して収容されることにより、前記変形は係止されて、結果、不織布を安定的に固定されるものである。なお、係止雄型２７ｑは係止雌型２８ｑに内接して変形を係止されるならば、そのyz平面での断面形状は特に限定されるものではなく、長方形であっても良いが、理想的には、円であるが、小判のような概観を有する両端平行切除円形（例えば、
【００９９】
【数９】
2016097104.tif 000011
であっても良い。
【０１００】
因みに、内接して変形を係止されるためには、各ｚ面側に少なくとも１箇所（合わせて２箇所）に接する必要がある。或いは、スムーズに挿入できるように、係止雌型は円錐台状（但しその頂部はｘ方向内側）の内腔とし、係止雄型は、それに内接可能な角錐台乃至は円錐台とすることも好ましい。勿論、図１７の例の係止機構とは別態様として、該取付部位が雌ネジであり該取付部材が雄ネジである組み合わせでも何ら不都合なく実現可能である。
【０１０１】
因みに、図１５〜１７で例示した態様においては、嘴のように自由に開閉できる構造、則ち、一点を中心に旋回する旋回開口式の態様を例示したが、これに限定されるものではなく、例えば、ネジ部を有する構造材のｚ方向に開口部が伸びた孔状（または窪み状）部位に、ｚ面を有する構造材の軸状部位が抜去困難に挿入されている構造ならば、平行移動式に略コの字形状を開閉する平行開口式であることが可能である。なお、一方のｚ面は固定式であっても良い。この構造を用いれば、特に図１７（イ）に示した態様においては、係止雌型２８ｑに過大な空部を無くすことが可能となる。
【０１０２】
また、図１５〜１７で例示した態様においては、一方のｚ面を含む部材と他方のｚ面を含む部材とは、伸縮性ないしは弾力性を有する部材を通じて、一体のものであっても良いし、旋回式や摺動式可動構成等にて、２つの部材が組み合わされたものであっても良いし、主軸様構造等をなす他の部材が間にさらに入って、３つ以上の部材が組み合わされたものであっても良い。
【０１０３】
前記旋回開口式や平行開口式の何れも、上下のｚ面が両方共、両者以外の部材に対して可動式で、或いは、一方のｚ面を含む部材と、他方のｚ面を含む部材は互いに分離可能であり、両者を嵌め合わせる事によって、不織布を仮固定した後、ネジ締めにて、完全に固定される構造であっても良い。なお、前記部材は、それぞれ後続のネジ部と一体であることが好ましい。
【産業上の利用可能性】
【０１０４】
本発明に係る清浄具によれば、払拭具を容易に交換することができる上、払拭具を取り付けた箇所の硬質な部材が清掃対象に接触する可能性が低く、また払拭具を取り付けた箇所をコンパクトに構成できるので、口腔にも快適に使用することができる。加えて清浄具の本体である棒状部材の洗浄、消毒を容易に行い得る。なお口腔内の如き狭隘部のみならず、適用対象に応じて大きさ、素材等に変更を加えれば、各種清掃用途に利用可能である。
【符号の説明】
【０１０５】
１ａ：口腔清掃用ブラシ
１ａ’：本体部
２ａ：取付部位
３ａ：ブラシ柄部
４ａ１、４ａ２：口腔清掃用不織布
２ｂ：取付部位
４ｂ：不織布ないしはその束
５ｂ：口腔内面乃至は歯面
２ｃ：取付部位
３ｃ：ブラシ柄部
４ｃ：不織布
６ｃ：取付部材
７ｃ：取付部材の不織布挟み込み突起
８ｃ：取付部材の返し突起
９ｃ：取付部位の返し受け
２ｄ：取付部位
４ｄ：不織布
６ｄ：取付部材
１０ｄ：屈曲可能部位
１１ｄ：不織布直接返し突起
１２ｄ：不織布間接返し突起
１３ｄ：ｘ面凹み部
１４ｄ：ｚ面凹み部
２ｅ：取付部位
２ｅ１：取付部位ｘ方向外端
２ｅ２：取付部位ｚ方向外端
６ｅ：取付部材
６ｅ１：取付部材ｘ方向外端
６ｅ２：取付部材ｘ面部分
６ｅ３：先端返し
８ｅ：頂部拡大脈状突起
９ｅ：底部拡大溝
２ｆ：取付部位
１５ｆ：側面切り欠きｙ面
１６ｆ：側面切り欠きｘ面
１７ｆ：側面非切り欠きｙ面
１８ｆ：ｘ面
２ｇ：取付部位
１５ｇ：側面切り欠きｙ面
１６ｇ：側面切り欠きｘ面
１７ｇ：側面非切り欠きｙ面
１８ｇ：ｘ面
６ｈ１：変形させた該不織布または取付部材
６ｈ２：非束縛状態の該不織布または取付部材
６ｈ３：傾斜を設けられた取付部材
１９ｈ：狭窄帯
２０ｈ：幅広帯
２ｉ：取付部位
６ｉ：取り外し可能把手
７ｉ：把手側返し型嵌合雌型
８ｉ：取付部位側返し型嵌合雄型
２１ｉ：把手
２２ｉ：上下を連絡する架橋
２ｊ：取付部位
６ｊ：取り外し可能把手
２２ｊ：上下を連絡する架橋
２３ｊ：引掛鈎部
２４ｊ：空間
２ｋ：取付部位
６ｋ：取付部材
２ｌ：取付部位
６ｌ：取付部材
７ｌ：取付部位側嵌合突起
８ｌ：取付部材側嵌合溝
２ｍ：取付部位
６ｍ：取付部材
７ｍ：返し構造
２ｎ：取付部位
６ｎ：取付部材
７ｎ：取付部材側嵌合突起
８ｎ：取付部位側嵌合溝
１２ｎ：取付部位側返し構造
２４ｎ：空間
２ｏ：雄ネジである取付部位
３ｏ：ブラシ柄部
４ｏ：不織布
６ｏ：雌ネジである取付部材
７ｏ：取付部位の不織布挟み込み突起
１０ｏ：開閉部
２５ｏ：雄ネジ部
２６ｏ：雌ネジである取付部材
２ｐ：雌ネジである取付部位
３ｐ：ブラシ柄部
４ｐ：不織布
６ｐ：雄ネジである取付部材
７ｐ：取付部材の不織布挟み込み突起
１０ｐ：開閉部
２５ｐ：雌ネジ部
２６ｐ：雄ネジ部
２ｑ：雌ネジである取付部材
３ｑ：ブラシ柄部
４ｑ：不織布
６ｑ：雄ネジである取付部位
７ｑ：取付部位の不織布挟み込み突起
１０q：変形部
２５ｑ：雌ネジ部
２６ｑ：雄ネジ部
２７ｑ：係止雄型
２８ｑ：係止雌型
【図１】
2016097104.tif 000015
【図２】
2016097104.tif 000016
【図３】
2016097104.tif 000017
【図４】
2016097104.tif 000018
【図５】
2016097104.tif 000019
【図６】
2016097104.tif 000020
【図７】
2016097104.tif 000021
【図８】
2016097104.tif 000022
【図９】
2016097104.tif 000023
【図１０】
2016097104.tif 000024
【図１１】
2016097104.tif 000025
【図１２】
2016097104.tif 000026
【図１３】
2016097104.tif 000027
【図１４】
2016097104.tif 000028
【図１５】
2016097104.tif 000029
【図１６】
2016097104.tif 000030
【図１７】
2016097104.tif 000031